(57)【要約】【課題】エアープロテクター動作の信頼性の向上実現出来る縦型掃除機を提供する。【解決手段】縦型掃除機本体１の集塵室５後面に位置しかつ動作時には集塵室５と外部を連通するエアープロテクター１０を備え、エアープロテクター１０を集塵室５後面の縦稜線近傍に配することで、集塵袋４への塵埃の堆積具合に関わらずエアープロテクター１０動作用の空気の風路を確保することが可能となると共に、近年の高入力化競争に伴い大型化が余儀なくされているエアープロテクター１０を縦方向に取り付けることで、不要な集塵室５の外側と内側への突出量を抑えつつ、必要なバネ特性を確保することが可能となり、エアープロテクター１０の動作性と動作風量を確保出来るため、信頼性のある安全装置を提供出来る。【選択図】図１
2006326029.tif 000002
【特許請求の範囲】
【請求項１】
下方にモーターを内蔵するモーター室と上方に集塵袋を内蔵する集塵室を有する本体部と前記本体部の下方に傾動自在に取り付けられたノズル部とで構成された縦型掃除機本体と、本体部に着脱自在に取り付けられたハンドル部と、一端が前記集塵室に連通され他端が前記ノズル部に連通されたホースと、前記集塵室後面に位置しかつ一端に空気取入口と他端に空気排出口を有し動作時には前記集塵室と外部を連通するエアープロテクターを備え、前記集塵室後面の縦稜線近傍かつ縦方向にエアープロテクターを配した縦型掃除機。
【請求項２】
エアープロテクターの空気取入口を縦型掃除機本体の下方に向くように配した請求項１記載の縦型掃除機。
【請求項３】
エアープロテクターの略半分を集塵室の後方外側、残りの略半分を集塵室の内側に配した請求項１または２記載の縦型掃除機。
【請求項４】
エアープロテクターの集塵室から後方外側への突出量を縦型掃除機本体の他の構成部品の後方外側への突出量よりも低くした請求項１〜３のいずれか１項に記載の縦型掃除機。
【請求項５】
エアープロテクターの空気取入口よりも上流側に格子状空気取入口を配し、前記格子状空気取入口を縦型掃除機本体の下側に向くように配すると共に、格子状空気取入口の略半分は集塵室の内側に入り込ませた請求項１〜４のいずれか１項に記載の縦型掃除機。
【請求項６】
格子状空気取入口とエアープロテクターの空気取入口を近接して設けた請求項４記載の縦型掃除機。
【請求項７】
集塵室内かつ空気取入口に対向し開口する空気排出口を形成する排気口カバーを設け、前記排気口カバーに左右に開口する開口部を配した請求項１〜６のいずれか１項に記載の縦型掃除機。
【請求項８】
エアープロテクターにはコイルバネと、コイルバネの動作に連動して空気取入口を開閉する弁体と、前記コイルバネの中央を通る弁支持体を配し、弁体が空気取入口を開くように所定の位置まで動作した時に、弁体と弁支持体を当接するようにした請求項１〜７のいずれか１項に記載の縦型掃除機。
【発明の詳細な説明】
【技術分野】
【０００１】
本発明は、縦型掃除機に関するもので、特にモーターの過熱状態を防止するエアープロテクターの取り付け構成に関するものである。
【背景技術】
【０００２】
従来の縦型掃除機では、下方にモーター室蓋で覆われたモーター室と、上方に集塵室蓋で覆われた集塵室で構成された本体部と、本体の下方に傾動自在に取り付けられたノズル部と、一端が集塵室に連通され他端がノズル部に連通されたホースと、集塵室後面に位置しかつ外部と連通する連通穴を有するエアープロテクター収納部と、一端に空気取入口、他端に空気排出口を有するエアープロテクターと、一方に開口部を有する固着部を配し他方にホースの外形とほぼ同一の内径を有する断面略Ｃ字形でホースを保持するホース保持部を設けたホースカケを設け、ホース保持部が後方に突出する向きにして、ホースカケの固着部で、エアープロテクターをエアープロテクター収納部に固着している。
【０００３】
ここで、空気取入口は、本体を寝かせて使用した時に床面と対向するように設けられており、エアープロテクターの空気排出口は、空気取入口に対向するように設けられており、空気取入口と空気排出口との間には、バネで附勢された弁体が設けられている（例えば、特許文献１参照）。
【特許文献１】特許第３２９８１７９号公報
【発明の開示】
【発明が解決しようとする課題】
【０００４】
しかし、従来の縦型掃除機のエアープロテクター取り付け構成では、ホースカケの一端でエアープロテクターを保持しているため、エアープロテクターの取り付け位置はホースの保持性を第一優先とするため、その取り付け位置が限定されるものであった。
【０００５】
また、エアープロテクターの空気取入口は、本体を寝かせて使用した時に床面と対向するように設けられているため、後方へ突出したホース保持部を有するホースカケにより、本体を寝かせた場合にも床面との空間は確保出来るが、細塵など軽量な塵埃に関しては、弁体が開いた時に、床面より吸引してしまう可能性があった。
【０００６】
また、バネは、集塵室後面に対して略垂直方向に取り付けられており、近年の高入力化競争に伴い、バネを長くする等によりバネ荷重を上げる場合、バネ収納部を集塵室後面に対して略垂直方向に長くしようとすると、集塵室の外側もしくは内側にバネ収容部が飛び出すことになり、本体部を寝かすことが出来る角度が低下するという使用性の低下を招いたり、集塵袋の破れを防止するために、集塵室内を複雑な構成とすることが必要であった。
【０００７】
本発明は、前記従来の課題を解決するもので、エアープロテクター動作の信頼性を向上した縦型掃除機を提供する事を目的とする。
【課題を解決するための手段】
【０００８】
前記従来の課題を解決するために、本発明の縦型掃除機は、下方にモーターを内蔵するモーター室と上方に集塵袋を内蔵する集塵室を有する本体部と前記本体部の下方に傾動自在に取り付けられたノズル部とで構成された縦型掃除機本体と、本体部に着脱自在に取り付けられたハンドル部と、一端が前記集塵室に連通され他端が前記ノズル部に連通されたホースと、前記集塵室後面に位置しかつ一端に空気取入口と他端に空気排出口を有し動作時には前記集塵室と外部を連通するエアープロテクターを備え、前記集塵室後面の縦稜線近傍かつ縦方向にエアープロテクターを配するもので、集塵袋に塵埃が堆積した場合にも集塵袋が集塵室内壁へ密着し難く、エアープロテクター動作用の空気の風路を確保出来る縦稜線近傍にエアープロテクターを配置することでエアープロテクター動作の信頼性を向上できる。
【０００９】
また、近年の高入力化競争に伴い、モーター性能向上に伴う真空度の上昇から、塵埃が集塵袋にそれほど堆積していない場合には、弁体で空気取入口を確実に塞ぎ吸込力を確保するため、バネ長を長くする等によりバネのセット荷重、つまり第１加重を増加させることが必要となってきている。一方、モーターの冷却性能向上に伴う空気取入口の拡大から、受圧面積が増加し、さらなるバネのセット荷重を増加させる必要が生じていると同時に、冷却風量確保のために、バネの動作時荷重、つまり第２荷重を低下させるなどして、弁体の動作ストロークを大きくする必要も生じてきている。また、セット荷重を増加させた場合に、バネの動作時荷重が増加し過ぎた場合などには、弁体が動作と復帰を繰り返し、異常音が発生するケースがあり、この場合には、セット荷重を維持しつつ、動作時荷重を低下させるため、バネを長くし、バネ定数を低下させるなどが必要となってきている。これらのことがエアープロテクターの大型化を引き起こす中で、縦方向にエアープロテクターを配置することで、不要な集塵室の外側と内側への突出量を抑えつつ、前述の必要なバネ特性を確保することが容易となり、エアープロテクターの動作性と動作風量を確保することが出来る。
【発明の効果】
【００１０】
本発明の縦型掃除機は、エアープロテクターの動作の信頼性を向上することが出来るものである。
【発明を実施するための最良の形態】
【００１１】
第１の発明は、前記従来の課題を解決するために、本発明の縦型掃除機は、下方にモーターを内蔵するモーター室と上方に集塵袋を内蔵する集塵室を有する本体部と前記本体部の下方に傾動自在に取り付けられたノズル部とで構成された縦型掃除機本体と、本体部に着脱自在に取り付けられたハンドル部と、一端が前記集塵室に連通され他端が前記ノズル部に連通されたホースと、前記集塵室後面に位置しかつ一端に空気取入口と他端に空気排出口を有し動作時には前記集塵室と外部を連通するエアープロテクターを備え、前記集塵室後面の縦稜線近傍かつ縦方向にエアープロテクターを配するもので、集塵袋に塵埃が堆積した場合にも集塵袋が集塵室内壁へ密着し難く、エアープロテクター動作用の空気の風路を確保出来る縦稜線近傍にエアープロテクターを配置することでエアープロテクター動作の信頼性を向上できる。
【００１２】
また、近年の高入力化競争に伴い、モーター性能向上に伴う真空度の上昇から、塵埃が集塵袋にそれほど堆積していない場合には、弁体で空気取入口を確実に塞ぎ吸込力を確保するため、バネ長を長くする等によりバネのセット荷重、つまり第１加重を増加させることが必要となってきている。一方、モーターの冷却性能向上に伴う空気取入口の拡大から、受圧面積が増加し、さらなるバネのセット荷重を増加させる必要が生じていると同時に、冷却風量確保のために、バネの動作時荷重、つまり第２荷重を低下させるなどして、弁体の動作ストロークを大きくする必要も生じてきている。また、セット荷重を増加させた場合に、バネの動作時荷重が増加し過ぎた場合などには、弁体が動作と復帰を繰り返し、異常音が発生するケースがあり、この場合には、セット荷重を維持しつつ、動作時荷重を低下させるため、バネを長くし、バネ定数を低下させるなどが必要となってきている。これらのことがエアープロテクターの大型化を引き起こす中で、縦方向にエアープロテクターを配置することで、不要な集塵室の外側と内側への突出量を抑えつつ、前述の必要なバネ特性を確保することが容易となり、エアープロテクターの動作性と動作風量を確保することが出来る。
【００１３】
第２の発明は、特に第１の発明のエアープロテクターの空気取入口を縦型掃除機本体の下方に向くように配したもので、本体を寝かせて使用した時に空気取入口が床面と対向しないので、細塵を床面より吸引させてしまう可能性を低減することが出来る。
【００１４】
また、使用者が誤って異物を落下させた場合にも、異物侵入によるエアープロテクターの動作不良を防止出来ると共に、通常使用状態では使用者から空気取入口周辺が見えないため、外観性を向上出来る。
【００１５】
第３の発明は、特に第１または第２に記載の発明のエアープロテクターの略半分を集塵室の後方外側、略半分を集塵室の内側に配したもので、本体を寝かせて使用した時の後方外側への突出量の低減による使用中の床面の傷付きの防止と、集塵室内側への突出量の低減による塵埃堆積時の集塵袋の傷付きを防止と集塵容積の確保が出来る。
【００１６】
第４の発明は、特に第１〜第３のいずれか１つの発明のエアープロテクターの集塵室から後方外側への突出量を縦型掃除機本体の他の構成部品の後方外側への突出量よりも低くしたもので、縦型掃除機本体の寝かし角度を維持するという使用性の確保と床面の傷付きを防止することが出来ると共に、床面から空気取入口までの空間を確保し細塵の侵入を極力防止することが出来る。
【００１７】
第５の発明は、特に第１〜第４のいずれか１つの発明のエアープロテクターの空気取入口よりも上流側に格子状空気取入口を配し、前記格子状空気取入口を縦型掃除機本体の下側に向くように配すると共に、格子状空気取入口の略半分は集塵室の内側に入り込ませるもので、床面と格子上空気取入口の空間をかせぐことが可能となり、床面からの細塵の侵入も低減出来ると共に、集塵室後方への不要な突出量を低減しつつ、格子状空気取入口の開口面積を確保することが可能となり、モーターの冷却性能を向上することが出来る。
【００１８】
第６の発明は、特に第４の発明の格子状空気取入口とエアープロテクターの空気取入口を近接して設けたもので、例えば２０ｍｍ以内に近接して設けた場合等、万一コイン等が格子状空気取入口から侵入した場合にも、空気取入口を形成する壁面にコインが接触し、異物の侵入を防止出来る。
【００１９】
第７の発明は、特に第１〜第６のいずれか１つの発明の集塵室内かつ空気取入口に対向し開口する空気排出口を形成する排気口カバーを設け、前記排気口カバーに左右に開口する開口部を配するもので、集塵袋に塵埃が堆積した場合に、空気排出口が集塵袋で塞がれるのを防止し、エアープロテクター動作の風路を確保することが出来ると共に、使用者が集塵室内に誤って異物を落下させた場合にも、異物の侵入を防止出来る。
【００２０】
第８の発明は、特に第１〜７のいずれか１つの発明のエアープロテクターには、コイルバネと、コイルバネの動作に連動して空気取入口を開閉する弁体と、前記コイルバネの中央を通る弁支持体を配し、弁体が空気取入口を開くように所定の位置まで動作した時に、弁体と弁支持体とを当接するようにするもので、弁体が必要以上に動作し、コイルバネの動作時荷重が上がり過ぎることで生じる弁体の動作と復帰の繰り返しによる異常音を防止することが出来る。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における縦型掃除機の全体構成を示す正面図で、図２は、同縦型掃除機の後面図、図３は、同縦型掃除機を寝かせて使用した時の側面図、図４は、同縦型掃除機の要部正面図、図５は、図４のＡ−Ａ断面図、図６は、図４のＢ−Ｂ断面図、図７は、図４のＣ−Ｃ断面図である。
【００２３】
図１において、１は、縦型掃除機本体で、下方にモーター２を内蔵するモーター室３と上方に集塵袋４を内蔵する集塵室５を有する本体部６と本体部６の下方に傾動自在に取り付けられたノズル部７とで構成され、一端が集塵室５に連通され他端がノズル部７に連通されたホース８が設けられている。
【００２４】
また、集塵室５の下方にはモーター室３と連通する吸気口９が設けられており、エアープロテクター１０を本体部６の吸気口９近傍かつ集塵室５後面の縦稜線近傍かつ縦方向に設けたエアープロテクター収容部１１に固着すると共に、吸気口９に対して本体部側壁１２と隔壁１３とで略全周を囲んでいる。
【００２５】
図２において、本体部６の集塵室５後面側のエアープロテクター収容部１１には、略全開口が縦型掃除機本体１の下方に向かって開口する格子状空気取入口１４を設けている。
【００２６】
図３において、エアープロテクター収容部１１は、集塵室５の外側へ突出しているものの、その突出量は、縦型掃除機本体１の他の構成部品の突出量よりは低く設定している。
【００２７】
図４〜図７において、エアープロテクター１０は、エアープロテクターケース１５、弁体１６、バネ１７、排気口カバー１８で構成されており、略半分が集塵室５の後方外側、略半分が集塵室５の内側へ突出したエアープロテクター収容部１１に固着されている。
【００２８】
ここで、エアープロテクターケース１５には、空気取入口１９を設け、弁体１６をバネ１７で附勢することで、通常は空気取入口１９を閉じるように取り付けられている。
【００２９】
また、排出口カバー１８には、空気排出口２０を設け、空気排出口２０の下流側に左右方向へ空気が流れるように開口部２１を設けている。
【００３０】
また、吸気口９に対して、エアープロテクター１０の略全周を本体部側壁１２とエアープロテクター１０の集塵室５内側への突出量よりも高い隔壁１３とで囲んでいる。
【００３１】
また、エアープロテクターケース１５の中央には、突出体２２を設けると共に、その近傍に補助空気排出口２３を設けている。
【００３２】
また、空気取入口１９を形成するエアープロテクターケース１５の下壁２４は、格子状空気取入口１４から２０ｍｍ以内に近接して設けられている。
【００３３】
上記構成を備えた電気掃除機の動作、作用は以下の通りである。
【００３４】
通常の使用状態では、床面上の塵埃が空気と共にノズル部７の下部より吸引され、ホース８を経て集塵室５内の集塵袋４に導かれ、塵埃は集塵袋４に捕捉され、綺麗になった空気は、集塵袋４を通過して吸気口９に入り、排気部２５を経て外部に排気される。
【００３５】
集塵袋４内の塵埃が少ない間は、吸引された空気は何等抵抗なく集塵袋４を通過するので、モーター２が絞られることなく、集塵室５の真空度はそれほど上がらない。ところが、集塵袋４内に塵埃が堆積してくると、その塵埃により外部の空気が集塵袋４を通過し難くなり、結果的にモーター２が絞られ、集塵室５の真空度が上昇する。
【００３６】
真空度が上昇すると、それによる吸引力が、エアープロテクター１０のバネ１７の附勢力に打ち勝って、弁体１６を引き込み、空気取入口１９が開口する。そして外気がその空気取入口１９より入り、空気排出口２０、開口部２１、補助空気排出口２３、吸気口９をそれぞれ経て、モーター室３に流れ込み、モーター２を冷却し、モーター焼け等の異常を防止する。
【００３７】
このように、本実施の形態によれば、エアープロテクター１０を縦方向に取り付けることで、バネ１７の取り付け長さの設定自由度が拡大し、バネ荷重の設定自由度が拡大することで、エアープロテクター１０の動作性と動作風量を確保することが容易となると共に、エアープロテクター１０を本体部６の吸気口９近傍かつ集塵室５後面の縦稜線近傍かつ縦方向に取り付け、吸気口９に対してエアープロテクター１０の略全周を本体部側壁１２とエアープロテクター１０の集塵室５内側への突出量よりも高い隔壁１３とで囲み、空気排出口２０の下流側には左右方向へ空気が流れるように開口部２１を設けることで、集塵袋４へのゴミの堆積具合やバネ１７の密着具合に関わらず常に安定して風路を確保することが可能となり、エアープロテクター１０の信頼性を向上出来る。
【００３８】
また、略全開口が縦型掃除機本体１の下方に向かって開口する格子状空気取入口１４を設け、その略半分は集塵室５の内側に入り込ませることで、エアープロテクター収容部１１が集塵室５よりも外側に突出しているものの、床面からの細塵の侵入を極力防止出来る。
【００３９】
また、コイン２６などの異物に対しても、格子状空気取入口１４を下方に向けって開口させると共に、エアープロテクターケース１５の下壁２４を格子状空気取入口１４から２０ｍｍ以内に近接させることで、異物侵入による動作不能という不具合も防止出来る。
【００４０】
また、エアープロテクター収容部１１が集塵室５の後方外側へ突出しているものの、その突出量は他の構成部品の突出量よりも低く抑えているので、縦型掃除機本体１の寝かせ角度にも影響を与えることなく、使用性も維持することが出来る。
【００４１】
（実施の形態２）
図８は、本発明の第２の実施の形態における縦型掃除機の要部断面図である。
【００４２】
なお、上記実施の形態１と同一部分については同一符号を付してその説明を省略する。
【００４３】
本実施の形態は、上記第１の実施の形態における排出口カバー１８において、中央よりコイルバネ１７の中央を貫通するように突出する略十字状の弁支持体２７を設けており、弁体１６が所定の位置まで動作した時に、弁体１６と弁支持体２７とが当接するようにしているものであり、弁体１６が必要以上に動作し、コイルバネ１７の動作荷重が上がり過ぎることで生じる弁体１６の動作と復帰の繰り返しによる異常音を防止出来る。
【産業上の利用可能性】
【００４４】
以上のように、本発明にかかる縦型掃除機は、エアープロテクター動作の信頼性を向上することが出来るものであり、各種バネ式安全装置に適用できるものである。
【図面の簡単な説明】
【００４５】
【図１】本発明の実施の形態１における縦型掃除機の全体正面図
【図２】同縦型掃除機の全体後面図
【図３】同縦型掃除機を寝かせて使用した時の側面図
【図４】同縦型掃除機の要部正面図
【図５】同縦型掃除機の要部断面図（図４のＡ−Ａ断面）
【図６】同縦型掃除機の要部断面図（図４のＢ−Ｂ断面）
【図７】同縦型掃除機の要部断面図（図４のＣ−Ｃ断面）
【図８】本発明の実施の形態２における縦型掃除機の要部断面図
【符号の説明】
【００４６】
１  縦型掃除機本体
２  モーター
３  モーター室
４  集塵袋
５  集塵室
６  本体部
１０  エアープロテクター
【図１】
2006326029.tif 000003
【図２】
2006326029.tif 000004
【図３】
2006326029.tif 000005
【図４】
2006326029.tif 000006
【図５】
2006326029.tif 000007
【図６】
2006326029.tif 000008
【図７】
2006326029.tif 000009
【図８】
2006326029.tif 000010